(57)【要約】【課題】ハウジングのカード収容部を形成する壁部をより薄くし小型化を図ることができ、しかも、リフロー方式の半田付けも可能であること。【解決手段】カード用コネクタにおいて、カバー部材１２の上面部に第１の補強片１２ＲＷ１と、第２の補強片１２ＲＷ２とが一体に成形され、第１の補強片１２ＲＷ１は、可動端子２０の固定部２０Ｆが固定されるベース部材１０の後壁部１０ＢＷにおける端子保持部１０ＢＫの外周面に当接し、２箇所に形成される第２の補強片１２ＲＷ２は、それぞれ、ベース部材１０の後壁部１０ＢＷにおける固定接点部１０ＢＣの背面となる内周面１０ＢＲと、可動端子２０の固定部２０Ｆが固定されるベース部材１０の後壁部１０ＢＷにおけるカード収容部１０Ａに向かい合う内周面と、に当接するもの。【選択図】図１
2015125885.tif 000002
【特許請求の範囲】
【請求項１】
ＩＣカードが通過するカードスロットに向き合う壁部を含むカード収容部を有し、該ＩＣカードを着脱可能に該カード収容部に収容するベース部材と、
前記ベース部材を覆うカバー部材と、
前記ベース部材の前記壁部に一端が支持される可動端子、および、固定端子を含んでなり、前記カード収容部内の前記ＩＣカードを検出するカード検出スイッチと、を備え、
前記カバー部材は、前記可動端子の一端を支持する壁部の外周面に当接する第１の補強片と、該壁部の内周面に当接し該第１の補強片と協働して該壁部を挟持する少なくとも一つの第２の補強片と、を有することを特徴とするカード用コネクタ。
【請求項２】
前記カード検出スイッチが、前記ＩＣカードを検出しない場合、前記可動端子の接点部と前記固定端子の接点部とが互いに当接することを特徴とする請求項１記載のカード用コネクタ。
【請求項３】
前記カード収容部は、前記ＩＣカードの電極部と前記ベース部材が配される基板の導体層とを電気的に接続する複数のコンタクト端子をさらに備え、
前記カバー部材の前記第１の補強片は、隣接した前記コンタクト端子の固定端子相互間の真上に位置することを特徴とする請求項１記載のカード用コネクタ。
【発明の詳細な説明】
【技術分野】
【０００１】
本発明は、カード検出スイッチを備えるカード用コネクタに関する。
【背景技術】
【０００２】
マイクロＳＤカード（登録商標）等のＩＣカードが着脱可能に装着されるカード用コネクタは、携帯電話機等の電子機器内の配線基板上に配される。カード用コネクタは、例えば、特許文献１および特許文献２にも示されるように、カード検出スイッチを備えている。カード検出スイッチは、ＩＣカードがそのコネクタ内のカード収容部内に装着されたか否かを検出するものとされる。そのようなカード検出スイッチは、例えば、ノーマルクローズタイプの検出スイッチとされ、一対の可動接片および固定接片を含んで構成されている。一対の可動接片および固定接片は、ハウジングにおけるカード収容部の一部を形成する後壁部の端子保持部に支持されている。このようなカード用コネクタにおいては、電子機器およびＩＣカードの小型化に伴いさらなる小型化が要望されている。
【先行技術文献】
【特許文献】
【０００３】
【特許文献１】特開２０１３−９３２３３号公報
【特許文献２】特開２０１３−８９５５２号公報
【発明の概要】
【発明が解決しようとする課題】
【０００４】
カード用コネクタにおけるさらなる小型化の要望に対応すべく、ハウジングにおけるカード収容部を形成する樹脂製の側壁部および後壁部をより薄肉にすることも考えられる。
【０００５】
しかしながら、壁部を薄肉にした場合、カード用コネクタが、リフロー方式の半田付けにより、配線基板上に固定されるとき、その熱により樹脂製の壁部が変形する虞があるので壁部を薄肉にすることにも、一定の限界がある。
【０００６】
以上の問題点を考慮し、本発明は、カード検出スイッチを備えるカード用コネクタであって、ハウジングのカード収容部を形成する壁部をより薄くし小型化を図ることができ、しかも、リフロー方式の半田付けも可能であるカード検出スイッチを備えるカード用コネクタを提供することを目的とする。
【課題を解決するための手段】
【０００７】
上述の目的を達成するために、本発明に係るカード用コネクタは、ＩＣカードが通過するカードスロットに向き合う壁部を含むカード収容部を有し、ＩＣカードを着脱可能にカード収容部に収容するベース部材と、ベース部材を覆うカバー部材と、ベース部材の壁部に一端が支持される可動端子、および、固定端子を含んでなり、カード収容部内のＩＣカードを検出するカード検出スイッチと、を備え、カバー部材は、可動端子の一端を支持する壁部の外周面に当接する第１の補強片と、壁部の内周面に当接し第１の補強片と協働して壁部を挟持する少なくとも一つの第２の補強片と、を有することを特徴とする。
【発明の効果】
【０００８】
本発明に係るカード用コネクタによれば、カバー部材は、可動端子の一端を支持する壁部の外周面に当接する第１の補強片と、壁部の内周面に当接し第１の補強片と協働して壁部を挟持する少なくとも一つの第２の補強片と、を有するのでハウジングのカード収容部を形成する壁部をより薄くし小型化を図ることができ、しかも、壁部が熱により変形することがないのでリフロー方式の半田付けも可能である。
【図面の簡単な説明】
【０００９】
【図１】本発明に係るカード用コネクタの一例の外観を示す斜視図である。
【図２】図１に示される例における平面図である。
【図３】図１に示される例において、カバー部材が取り外された状態を示す平面図である。
【図４】図１に示される例において、カバー部材およびカード検出スイッチが取り外された状態を示す斜視図である。
【図５】図３に示される例において、メモリカードが挿入された状態を示す平面図である。
【発明を実施するための形態】
【００１０】
図１は、本発明に係るカード用コネクタの一例の外観を示す。
【００１１】
図１に示されるカード用コネクタは、例えば、そのカード収容部１０Ａ（図３参照）に着脱可能に収容されるＩＣカードとしてのメモリカードＳＣの電極部と所定の電子機器の内部に配される配線基板（不図示）の接続端子部とを電気的に接続するものとされる。カード用コネクタは、例えば、携帯電話機、携帯型オーディオ、ＰＤＡ、カメラ、ＰＣ等の電子機器の内部に配されるものとされる。薄板状のメモリカードＳＣは、例えば、マイクロシム（登録商標）カードとされ、後述されるコンタクト端子の配列に対応して６個の電極パッドが一方の表面部に形成されている。メモリカードＳＣは、図５に示されるように、一方の端部に面取り部ＳＣＫを有している。
【００１２】
カード用コネクタは、収容されるメモリカードＳＣに対する電気的接続を行う複数のコンタクト端子が配列されるベース部材１０と、ベース部材１０を覆うカバー部材１２とを含んで構成されている。
【００１３】
メモリカードＳＣのカード収容部１０Ａは、金属製のカバー部材１２の内周部とベース部材１０とによって形成される。即ち、ベース部材１０全体が、そのカバー部材１２の内周部により覆われることとなる。ベース部材１０は、図３および図４に示されるように、互いに向かい合う側壁部１０ＲＷ１、１０ＲＷ２、１０ＲＷ３、側壁部１０ＬＷ１、１０ＬＷ２、１０ＬＷ３と、側壁部１０ＲＷ１〜１０ＲＷ３、および、側壁部１０ＬＷ１〜１０ＬＷ３を連結する底部１０Ｂと、後述する後壁部１０ＢＷとを含んで構成されている。
【００１４】
カード収容部１０Ａの一方の端部には、図２に示されるように、矢印の示す方向に沿って着脱されるメモリカードＳＣが通過する開口部１０ＣＳ（以下、カードスロット１０ＣＳともいう）が形成されている。また、カード収容部１０Ａの他方の端部には、そのカードスロット１０ＣＳに対向して後壁部１０ＢＷが形成されている。側壁部１０ＲＷ１、１０ＲＷ２、１０ＲＷ３、および、側壁部１０ＬＷ１、１０ＬＷ２、１０ＬＷ３には、それぞれ、爪部１０ＲＮが形成されている。側壁部１０ＬＷ１〜１０ＬＷ３は、中間に位置する側壁部１０ＬＷ２に対し所定の間隔をもって形成されている。側壁部１０ＲＷ１〜１０ＲＷ３は、中間に位置する側壁部１０ＲＷ２に対し所定の間隔をもって形成されている。
【００１５】
ベース部材１０の底部１０Ｂの中央部には、図３に示されるように、所定の間隔で配される二つの矩形の開口部１０ａおよび１０ｂが３列、形成されている。開口部１０ａおよび１０ｂは、それぞれ、側壁１０ＲＷ２および１０ＬＷ２、側壁１０ＲＷ１および１０ＬＷ１に対して略平行に細長く形成されている。各同一列の開口部１０ａおよび１０ｂは、共通の直線上に形成されている。同一列における各開口部１０ａおよび１０ｂは、図３に示されるように、その中間に形成される中間底壁部１０Ｐａにより仕切られている。中間底壁部１０Ｐａには、その各列に対応して凹部１０ｄが形成されている。また、隣接する列における開口部１０ａおよび１０ｂは、それぞれ、底部１０Ｂに形成される仕切壁１０Ｐｂにより仕切られている。
【００１６】
樹脂材料で成形されるベース部材１０には、コンタクト端子１４Ａｉ（ｉ＝１〜６）が上述の各開口部１０ａおよび１０ｂに対応してインサート成形により配設されている。コンタクト端子１４Ａｉは、装着されるメモリカードＳＣの電極パッドに当接しメモリカードＳＣと配線基板（不図示）とを電気的に接続するものとされる。
【００１７】
各コンタクト端子１４Ａｉは、薄板金属材料でプレス加工によって作られる。コンタクト端子１４Ａｉは、上述のメモリカードＳＣの１個の電極パッドに略同時に当接し電気的に接続される接点部１４ａｃ、１４ｂｃをそれぞれ有する分岐可動片部１４ａ，１４ｂと、配線基板の導電層に半田付け固定される半田付端子部を有する後端部と、分岐可動片部１４ａ，１４ｂに連なる可動片支持部と、可動片支持部と後端部とを連結する連結部とを含んで構成されている。なお、上述の後端部の一部、可動片支持部、および、連結部は、インサート成形により底部１０Ｂに鋳込まれている。
【００１８】
弾性変位可能な分岐可動片部１４ａ，１４ｂ、および、半田付端子部は、それぞれ、ベース部材１０の底部から突出している。また、各コンタクト端子１４Ａｉの半田付端子部１４ｆｓは、図４に示されるように、カードスロット１０ＣＳに向かい合う後壁部１０ＢＷから外部に向けて突出している。これにより、半田がベース部材１０におけるカードスロット周縁に付着することがないのでメモリカードＳＣの着脱において半田によって支障が生じる虞がない。
【００１９】
さらに、底部１０Ｂの表面に対し略垂直に成形される後壁部１０ＢＷには、図１に示されるように、メモリカードＳＣがカード収容部１０Ａ内に装着されているか否かを検出するカード検出スイッチが設けられている。後壁部１０ＢＷは、メモリカードＳＣの着脱方向に対し略直交する方向に延びている。後壁部１０ＢＷは、後述するカード検出スイッチの一部を構成する可動端子２０の固定部２０Ｆを保持する端子保持部１０ＢＫを略中央部に有している。端子保持部１０ＢＫは、可動端子２０の固定部２０Ｆが圧入される細長い溝を有している。細長い溝は、可動端子２０の板厚に対応した溝幅を有している。また、その溝を形成する壁の一方の端部近傍は、図４に示されるように、可動端子２０の可動部２０Ｍの一部が後壁部１０ＢＷから図５に示されるように張り出すように切り欠かれている。
【００２０】
カード検出スイッチは、ノーマルクローズタイプのスイッチとされ、可動接点部２０ＭＣを有する可動端子２０と、固定接点部１０ＢＣを有する固定端子とを備えて構成されている。可動端子２０は、薄板金属材料で帯状に作られ、端子保持部１０ＢＫの溝に圧入され可動端子２０をベース部材１０に固定する固定部２０Ｆと、メモリカードＳＣの端部に選択的に当接する当接端部２０Ｅと、可動接点部２０ＭＣを有し固定部２０Ｆと当接端部２０Ｅとを連結する可動部２０Ｍとから構成されている。
【００２１】
図４において、上述の溝に差し込まれる固定部２０Ｆには、半田付け固定端子が設けられている。これにより、その半田付け固定端子が配線基板に半田付け固定されることによって、可動端子２０が配線基板の回路に導通することとなる。
【００２２】
また、可動部２０Ｍは、その帯状に広がる面が端子保持部１０ＢＫに向き合うように配置されることとなる。可動部２０Ｍにおける固定部２０Ｆから離隔する方向の一方の端部近傍には、隆起した可動接点部２０ＭＣが形成されている。
【００２３】
当接端部２０Ｅは、可動部２０Ｍの一方の端部に対し所定の角度をもって可動接点部２０ＭＣの隆起する側（即ち、カード収容部１０Ａ側）に折れ曲がっている。
【００２４】
一方、固定端子の固定接点部１０ＢＣは、可動端子２０の可動部２０Ｍにおける可動接点部２０ＭＣに対向するように後壁部１０ＢＷに埋設され露出されている。これにより、その固定端子に一体に形成される半田付け固定端子が、配線基板に半田付け固定されることによって、固定端子は、図示が省略される配線基板の回路に導通することとなる。
【００２５】
固定端子の固定接点部１０ＢＣ近傍と側壁部１０ＲＷ３との間には、図３に示されるように、当接端部２０Ｅが侵入する隙間が形成されている。
【００２６】
カバー部材１２は、ベース部材１０の側壁部１０ＲＷ１、１０ＲＷ２、１０ＲＷ３に爪部１０ＲＮを介して係止される側壁１２ＲＷと、ベース部材１０の側壁部１０ＬＷ１、１０ＬＷ２、１０ＬＷ３に爪部１０ＲＮを介して係止される側壁１２ＬＷと、側壁１２ＲＷと側壁１２ＬＷとを連結する上面部とから構成されている。
【００２７】
上面部には、図１に示されるように、コンタクト端子１４Ａｉの接点部１４ａｃ、１４ｂｃの真上となる位置にそれぞれ、複数の開口部１２ａ、１２ｂが形成されている。上面部の幅方向に沿って配列される開口部１２ｂの列の両端には、挿入されたメモリカードＳＣを保持するように付勢する板ばね１２ＲＳ、１２ＬＳが、隣接して形成されている。
【００２８】
また、カバー部材１２の上面部における後壁部１０ＢＷ近傍の位置には、第１の補強片１２ＲＷ１と、第２の補強片１２ＲＷ２とが一体に成形されている。第１の補強片１２ＲＷ１は、可動端子２０の固定部２０Ｆが固定されるベース部材１０の後壁部１０ＢＷにおける端子保持部１０ＢＫの外周面に当接し、２箇所に形成される第２の補強片１２ＲＷ２は、それぞれ、ベース部材１０の後壁部１０ＢＷにおける固定接点部１０ＢＣの背面となる内周面部１０ＢＲと、カード検出スイッチがオフ状態となるとき、可動端子２０による応力が最も大きく作用する固定部２０Ｆが固定されるベース部材１０の後壁部１０ＢＷにおけるカード収容部１０Ａに向かい合う内周面と、に当接している。従って、第１の補強片１２ＲＷ１は、ベース部材１０の後壁部１０ＢＷの中間部に配され、互いに離隔した第２の補強片１２ＲＷ２相互間に位置することとなる。
【００２９】
これにより、カード用コネクタが、リフロー方式で配線基板に実装される場合、後壁部１０ＢＷが、第１の補強片１２ＲＷ１および２箇所の第２の補強片１２ＲＷ２により、挟持され支持されるので仮に後壁部１０ＢＷの厚さがより薄く成形される場合であっても、熱変形により後壁部１０ＢＷが倒れる虞がない。
【００３０】
なお、第２の補強片１２ＲＷ２の幅は、第１の補強片１２ＲＷ１の幅に比して大に設定されている。第１の補強片１２ＲＷ１は、半田付け固定端子１４ｆｓの相互間に位置するように形成されているので半田付け固定端子の半田付け作業の良否が目視で検査可能とされる。
【００３１】
斯かる構成において、図５に示されるように、カード収容部１０ＡにメモリカードＳＣが挿入される場合、可動端子２０の当接端部２０Ｅが、可動接点部２０ＭＣが固定端子の固定接点部１０ＢＣから離隔する方向にメモリカードＳＣの端部で押圧されるとともに、可動端子２０の可動接点部２０ＭＣが固定端子の固定接点部１０ＢＣから離隔し第１の位置から所定の第２の位置まで移動せしめられることにより、カード検出スイッチは、オン状態からメモリカードＳＣの装着完了をあらわすオフ状態とされる。
【００３２】
一方、カード収容部１０ＡからメモリカードＳＣが排出される場合、メモリカードＳＣがカードスロット１０ＣＳを介して引き出されるとともに、可動端子２０の可動接点部２０ＭＣが上述の第２の位置から固定端子の固定接点部１０ＢＣに近接する方向に復元力により回動され固定接点部１０ＢＣに当接せしめられるのでカード検出スイッチは、オフ状態からメモリカードＳＣの非装着状態をあらわすオン状態とされる。
【００３３】
上述の本発明に係るカード用コネクタの一例は、マイクロシム（登録商標）カードが装着される、所謂、カード検出スイッチを備えるトレイタイプのカード用コネクタに適用されているが、斯かる例に限られることなく、例えば、カード検出スイッチを備え、メモリカードＳＣとしてＳＤカード、マイクロＳＤカード、ＭＭＣカード、ナノシム（ｎａｎｏＳＩＭ）(登録商標)カード等が装着されるいずれかの他の形式のカード用コネクタに適用されてもよいことは勿論である。
【符号の説明】
【００３４】
１０    ベース部材
１０ＢＷ    後壁部
１０ＢＣ    固定接点部
１０ＢＫ    端子保持部
１２    カバー部材
１２ＲＷ１    第１の補強片
１２ＲＷ２    第２の補強片
１４Ａｉ    コンタクト端子
２０    可動端子
【図１】
2015125885.tif 000003
【図２】
2015125885.tif 000004
【図３】
2015125885.tif 000005
【図４】
2015125885.tif 000006
【図５】
2015125885.tif 000007